(57)【要約】  シンプルネットワーク管理プロトコルに基づいたデータ管理の方法及びシステムは、ネットワーク管理装置のＳＮＭＰ  ＭＩＢにデータ管理ノードを設定し、ネットワーク管理装置は前記データ管理ノードを通してデータ管理制御メッセージをネットワーク素子へ送信し、ネットワーク素子はデータ管理制御メッセージにしたがって動作を実行する。本発明はＳＮＭＰの方法でネットワーク管理によりネットワーク素子上でデータを遠隔的に管理する機能を実現し、ソフトウェア管理動作を実現し、ネットワーク管理装置により設定データをバッチで分配し、新しい設定をし、ネットワーク素子の重要なデータをコピーすることを可能にする。さらに本発明は進行速度と実行されるデータ管理動作の結果をネットワーク管理装置からネットワーク素子により受信し、実行装置は実時間で動作する。本発明のデータ管理は装置のメンテナンスコストを減少する。【選択図】図３
2009500759.tif 000002
【特許請求の範囲】
【請求項１】
データ管理制御メッセージを送信するためのデータ管理ノードがネットワーク管理装置とネットワーク素子のシンプルネットワーク管理プロトコル（ＳＮＭＰ）管理情報ベース（ＭＩＢ）において設定されるＳＮＭＰに基づいたデータ管理方法において、
Ａ．ネットワーク管理装置により、データ管理ノードを通ってデータ管理制御メッセージをネットワーク素子へ送信し、
Ｂ．ネットワーク素子により、データ管理制御メッセージにしたがって動作を実行するステップを含んでいる方法。
【請求項２】
データ管理制御メッセージはデータ送信制御メッセージであり、方法はさらに、
前記ステップＡの前にＳＮＭＰ  ＭＩＢにおけるデータ送信制御メッセージに対応するパラメータノードを予め設定するステップを含んでおり、
前記ステップＡはさらに、ネットワーク管理装置により、記憶装置の位置情報とパラメータノードを通って送信されるデータの識別子情報を設定する処理を含み、
前記ステップＢは、データ送信制御メッセージと記憶装置の位置情報にしたがって記憶装置とネットワーク素子との間で識別子情報に対応するデータを送信するステップを含んでいる請求項１記載の方法。
【請求項３】
データ送信制御メッセージはデータデータダウンロード制御メッセージであり、
送信されるデータの識別子情報は記憶装置中のダウンロードされるデータのパス及びファイル名を含み、
前記ステップＢは、パス及びファイル名に対応するデータを記憶装置からネットワーク素子へ送信するステップを含んでいる請求項２記載の方法。
【請求項４】
データ送信制御メッセージはデータアップロード制御メッセージであり、
送信されるデータの識別子情報はアップロードされるデータのバージョン情報を含んでおり、
前記ステップＢは、アップロードされるデータのバージョン情報にしたがってネットワーク素子上の対応するデータを記憶装置へ送信するステップを含んでいる請求項２記載の方法。
【請求項５】
記憶装置の位置情報は記憶装置のＩＰアドレス、記憶装置のパス情報、または記憶装置のポート情報である請求項２記載の方法。
【請求項６】
さらに、前記ステップＢの前に、データ送信制御メッセージと記憶装置の位置情報にしたがって記憶装置とネットワーク素子との間に接続を設定し、
設定された接続は前記ステップＢでデータを送信するために使用される請求項２記載の方法。
【請求項７】
接続はファイル転送プロトコル（ＦＴＰ）接続またはトリフルファイル転送プロトコル（ＴＦＴＰ）接続である請求項６記載の方法。
【請求項８】
さらに、データ送信制御メッセージと記憶装置にしたがって記憶装置とネットワーク素子との間に接続を設定した後、接続が成功したか否かを決定し、成功したならばステップＢへ進み、そうでなければデータ管理ノードを通って接続失敗メッセージをネットワーク管理装置へ送信するステップを含んでいる請求項６記載の方法。
【請求項９】
記憶装置はネットワーク管理装置から分離されているか、ネットワーク管理装置中に位置されている請求項２記載の方法。
【請求項１０】
データ管理制御メッセージはデータ付勢制御メッセージであり、
前記ステップＢはネットワーク管理装置によりデータ制御メッセージにしたがって予め設定されたデータを付勢するステップを含んでいる請求項１記載の方法。
【請求項１１】
前記予め設定されたデータは予め設定されたデフォルトデータである請求項１０記載の方法。
【請求項１２】
さらに、前記ステップＡの前に、ＳＮＭＰ  ＭＩＢ中にデータ付勢制御メッセージに対応するパラメータノードを予め設定し、
前記ステップＡにおいてさらに、ネットワーク管理装置によってパラメータノードを通して付勢されるデータのバージョン情報を設定し、
前記予め設定されたデータはバージョン情報に対応するデータである請求項１０記載の方法。
【請求項１３】
ネットワーク素子は現在のデータの一次バージョンを識別するための一次バージョン識別子を含み、
前記ステップＢはさらに、ネットワーク素子によって、一次バージョン識別子を付勢されるデータのバージョン情報に対して更新するステップを含んでいる請求項１０記載の方法。
【請求項１４】
データ管理制御メッセージはデータ削除制御メッセージであり、
前記ステップＡの前に方法はさらに、
ＳＮＭＰ  ＭＩＢ中にデータ削除制御メッセージに対応するパラメータノードを予め設定するステップを含んでおり、
前記ステップＡはさらにネットワーク管理装置によってパラメータノードを通して削除されるデータのバージョン情報を設定するステップを含んでおり、
前記ステップＢはネットワーク素子によって、データ削除制御メッセージとバージョン情報にしたがってバージョン情報に対応するデータを削除するステップを含んでいる請求項１記載の方法。
【請求項１５】
データ管理制御メッセージは問合せネットワーク素子データバージョン制御メッセージであり、
方法はさらに、前記ステップＡの前に、ＳＮＭＰ  ＭＩＢ中に送信ノードを予め設定するステップを含んでおり、
前記ステップＢは、ネットワーク素子によって、問合せネットワーク素子データバージョン制御情報にしたがって、ネットワーク素子によりサポートされる全てのデータバージョン情報を送信ノードを介してネットワーク管理装置へ送信するステップを含んでいる請求項１記載の方法。
【請求項１６】
さらに、前記ステップＡの前に、ＳＮＭＰ  ＭＩＢ中に送信ノードを予め設定するステップを含んでおり、
前記ステップＢはさらに、ネットワーク素子によってネットワーク管理装置へ動作の進行および／または動作結果を送信ノードを通って送信するステップを含んでいる請求項１記載の方法。
【請求項１７】
ＳＮＭＰに基づいたデータ管理のためのシステムにおいて、
ネットワーク管理装置およびネットワーク素子を含み、データ管理制御メッセージを送信するためのデータ管理ノードはそれぞれネットワーク管理装置とネットワーク素子に含まれ、ネットワーク素子はさらに動作装置を含んでおり、
ネットワーク管理装置はその自己のデータ管理ノードを通ってデータ管理制御メッセージをネットワーク素子へ送信し、ネットワーク素子はその自己のデータ管理ノードを通してデータ管理制御メッセージを受信し、動作装置はネットワーク素子のデータ管理ノードからのデータ管理制御メッセージにしたがって動作を行うために使用されるシステム。
【請求項１８】
システムはさらにデータを記憶するための記憶装置を含み、
データ管理ノードはデータ送信制御メッセージを送信するためのノードであり、
ネットワーク管理装置およびネットワーク素子はさらに、データ管理ノードにそれぞれ対応するパラメータノードを含んでおり、ネットワーク管理装置は記憶装置の位置情報と、パラメータノードを通して送信されるデータの識別子情報とを設定し、それらをネットワーク素子中のパラメータノードへ送信し、
動作装置はネットワーク素子のパラメータノードからのデータ送信制御メッセージと記憶装置の位置情報にしたがって、識別子情報に対応するデータを記憶装置とネットワーク素子との間で送信する装置である請求項１７記載のシステム。
【請求項１９】
データ管理ノードはデータダウンロード制御メッセージを送信するノードであり、
パラメータノードはさらに送信されるデータの識別子を送信するために使用され、それは記憶装置中のダウンロードされるデータのパス及びファイル名を含んでおり、
動作装置はさらにパスおよびファイル名に対応するデータを記憶装置からネットワーク素子へ送信するために使用される請求項１８記載のシステム。
【請求項２０】
データ管理ノードはデータアップロード制御メッセージを送信するノードであり、
パラメータノードはさらにアップロードされるデータのバージョン情報を含む識別子情報を送信するために使用され、
動作装置はバージョン情報に対応するデータを記憶装置へ送信するために使用される請求項１８記載のシステム。
【請求項２１】
記憶装置はネットワーク管理装置から分離されているかまたはネットワーク管理装置中に位置されている請求項１８記載のシステム。
【請求項２２】
データ管理ノードはデータ付勢制御メッセージを送信するためのノードであり、
動作装置はデータ制御メッセージにしたがって予め設定されたデータを付勢するための装置である請求項１７記載のシステム。
【請求項２３】
それぞれデータ管理ノードに対応し、付勢されるデータのバージョン情報を送信するためのパラメータノードがネットワーク管理装置とネットワーク素子に含まれ、
動作装置はネットワーク素子のパラメータノードからのバージョン情報にしたがって対応するデータを付勢する装置である請求項２１記載の方法。
【請求項２４】
データ管理ノードはデータ削除制御メッセージを送信するためのノードであり、
ネットワーク管理装置とネットワーク素子はさらにデータ管理ノードにそれぞれ対応し、削除されるデータのバージョン情報を送信するためのパラメータノードを含んでおり、
動作装置はデータ削除制御メッセージとバージョン情報とにしたがってバージョン情報に対応するデータを削除する装置である請求項１７記載のシステム。
【請求項２５】
データ管理ノードは問合せネットワーク素子データバージョン制御メッセージを送信するためのノードであり、ネットワーク管理装置とネットワーク素子はそれぞれ送信ノードを具備し、
動作装置は問合せネットワーク素子データバージョン制御情報にしたがって、その動作装置によりサポートされる全てのデータのバージョン情報を送信ノードを通ってネットワーク管理装置へ送信するために使用される装置である請求項１７記載のシステム。
【請求項２６】
ネットワーク管理装置はネットワーク管理システム（ＮＭＳ）、ネットワーク素子管理システム（ＥＭＳ）またはローカルメンテナンス端末である請求項１７記載のシステム。
【請求項２７】
ネットワーク素子は基地局（ＢＳ）または加入者局（ＳＳ）を含んでいる請求項１７記載のシステム。
【発明の詳細な説明】
【技術分野】
【０００１】
本発明はデータ管理技術に関し、特にシンプルネットワーク管理プロトコル（ＳＮＭＰ）に基づいたデータ管理のための方法及びシステムに関する。
【背景技術】
【０００２】
マイクロ波アクセスのためのワールドインタオペラビリティ（ＷｉＭＡＸ）技術は米国電気電子学会（ＩＥＥＥ）８０２．１６シリーズ標準方式に基づいた無線都市域ネットワーク（ＭＡＮ）技術である。ＷｉＭＡＸの最大送信速度は７５Ｍビット／秒に達することができる。信号送信半径は５０キロメートルを実現し、これは都市の郊外をカバーするのにほぼ十分である。遠隔距離送信特性を有するので、ＷｉＭＡＸは無線アクセスを解決する技術だけではなく、ケーブル、デジタル加入者ライン（ＤＳＬ）等のような有線ネットワークアクセスの無線拡張部として機能し、したがって遠隔地域でのネットワーク接続を有効に実現する。結果としてＷｉＭＡＸは将来、広い応用を有する。
【０００３】
図１はＷｉＭＡＸネットワークの構造の概略図を示している。ＷｉＭＡＸは中央ネットワーク、ネットワーク管理装置、基地局（ＢＳ）、加入者局（ＳＳ）、加入者端末装置（ＴＥ）を含んでいる。中央ネットワークはインターネットにアクセスする機能を提供する。ネットワーク管理装置はネットワーク中の全てのＢＳとＳＳを監視し制御するために使用され、管理、制御等のような機能を提供する。ＢＳはＳＳと中央ネットワークとの間の接続を行う。ＳＳはＢＳとＴＥとの間の中継接続を行う。ＴＥはＳＳと独立しているか、またはＳＳと一体化されている。ＴＥ自体はＷｉＭＡＸシステムに属していない。
【０００４】
ＷｉＭＡＸの応用では、ネットワーク管理装置によりアクセス側で２つの新しく導入されたネットワーク素子ＢＳとＳＳが含まれる。既存の技術的な解決方法では、ネットワーク管理装置はシンプルネットワーク管理プロトコル（ＳＭＮＰ）を使用することによりＢＳとＳＳの中央化された管理をそれぞれ実行し、ＢＳとＳＳの対応するＳＮＭＰ管理情報ベース（ＭＩＢ）ノードを規定する。ネットワーク管理装置はＳＮＭＰ動作を通してＢＳとＳＳに対するパラメータ構造を完成する。換言すると、ネットワーク管理装置は制御メッセージを送信し、対応するノードを通るパラメータを構成し、ＢＳまたはＳＳは制御メッセージとパラメータにしたがってパラメータ構造を実行する。
【発明の開示】
【発明が解決しようとする課題】
【０００５】
しかしながら、ＭＩＢのノード規定では、ＢＳとＳＳソフトウェアとデータ管理機能のためのノードの規定はない。構造データのバッチを発行するような動作、新しい構造の付勢、重要なデータのバックアップ等はこの分野では手作業により局部メンテナンス端末の使用によってのみ完成されることができる。ＢＳとＳＳの分布区域は広いので、更新およびデータメンテナンス動作には非常に多くの時間と資金が必要となり、装置のメンテナンスコストが著しく増加する。
【０００６】
本発明はネットワーク管理装置がネットワーク中に分布されている多数のネットワーク素子に対してデータ管理を行うことを可能にするために、シンプルネットワーク管理プロトコル（ＳＮＭ）に基づいたデータ管理のための方法及びシステムを提供する。
【課題を解決するための手段】
【０００７】
本発明はシンプルネットワーク管理プロトコル（ＳＮＭ）に基づいたデータ管理方法を提供し、その方法ではデータ管理制御メッセージを送信するためのデータ管理ノードは、ネットワーク管理装置とネットワーク素子のＳＮＭＰ管理情報ベース（ＭＩＢ）において設定され、その方法は、
Ａ．ネットワーク管理装置により、データ管理ノードを通してデータ管理制御メッセージをネットワーク素子へ送信し、
Ｂ．ネットワーク素子により、データ管理制御メッセージにしたがって動作を実行するステップを含んでいる。
【０００８】
データ管理制御メッセージはデータ送信制御メッセージであり、上記方法はさらにステップＡの前にＳＮＭＰ  ＭＩＢにおけるデータ送信制御メッセージに対応するパラメータノードを予め設定することを含んでおり、ステップＡはさらにネットワーク管理装置により、記憶装置の位置情報とパラメータノードを通って送信されるデータの識別子情報を設定する処理を含み、ステップＢはデータ送信制御メッセージと記憶装置の位置情報にしたがって記憶装置とネットワーク素子との間で識別子情報に対応するデータを送信する処理を含んでいる。
【０００９】
データ送信制御メッセージはデータデータダウンロード制御メッセージであり、送信されるデータの識別子情報には記憶装置中のダウンロードされるデータのパス及びファイル名が含まれており、ステップＢはパス及びファイル名に対応するデータを記憶装置からネットワーク素子へ送信する処理を含んでいる。
【００１０】
データ送信制御メッセージはデータアップロード制御メッセージであり、送信されるデータの識別子情報にはアップロードされるデータのバージョン情報が含まれており、ステップＢはアップロードされるデータのバージョン情報にしたがってネットワーク素子上の対応するデータを記憶装置へ送信する処理を含んでいる。
【００１１】
記憶装置の位置情報は記憶装置のＩＰアドレス、記憶装置のパス情報、または記憶装置のポート情報である。
【００１２】
方法はさらにステップＢの前に、データ送信制御メッセージと記憶装置の位置情報にしたがって記憶装置とネットワーク素子との間に接続を設定する処理を含んでおり、設定された接続はステップＢでデータの送信に使用される。
【００１３】
接続はファイル転送プロトコル（ＦＴＰ）接続またはトリフルファイル転送プロトコル（ＴＦＴＰ）接続である。
【００１４】
方法はさらにデータ送信制御メッセージと記憶装置にしたがって記憶装置とネットワーク素子との間に接続を設定した後、接続が成功したか否かを決定し、成功したならばステップＢへ進み、そうでなければデータ管理ノードを通して接続失敗メッセージをネットワーク管理装置へ送信する。
【００１５】
記憶装置はネットワーク管理装置から分離されているか、或いはその管理装置内に位置されている。
【００１６】
データ管理制御メッセージはデータ付勢制御メッセージであり、ステップＢはネットワーク管理装置によりデータ制御メッセージにしたがって予め設定されたデータを付勢する処理を含んでいる。
【００１７】
予め設定されたデータは予め設定されたデフォルトデータである。
【００１８】
方法はさらにステップＡの前に、ＳＮＭＰ  ＭＩＢ中のデータ付勢制御メッセージに対応するパラメータノードを予め設定するステップを含んでおり、ステップＡはさらに、ネットワーク管理装置によってパラメータノードを通して付勢されるデータのバージョン情報を設定するステップを含んでおり、その予め設定されたデータはバージョン情報に対応するデータである。
【００１９】
ネットワーク素子は現在のデータの一次バージョンを識別するための一次バージョン識別子を含んでおり、ステップＢはさらに、ネットワーク素子によって一次バージョン識別子を付勢されるデータのバージョン情報に更新する。
【００２０】
データ管理制御メッセージはデータ削除制御メッセージであり、方法はさらにステップＡの前に、ＳＮＭＰ  ＭＩＢにおいてデータ削除制御メッセージに対応するパラメータノードを予め設定する処理を含んでおり、ステップＡはさらに、ネットワーク管理装置によってパラメータノードを通して削除されるデータのバージョン情報を設定する処理を含んでおり、ステップＢはネットワーク素子によって、データ削除制御メッセージとバージョン情報にしたがってバージョン情報に対応するデータを削除する。
【００２１】
データ管理制御メッセージは問合せネットワーク素子データバージョン制御メッセージであり、方法はさらにステップＡの前に、ＳＮＭＰ  ＭＩＢ中に送信ノードを予め設定する処理を含んでおり、ステップＢはネットワーク素子によって、問合せネットワーク素子データバージョン制御情報にしたがって、ネットワーク素子によりサポートされる全てのデータバージョン情報を送信ノードを介してネットワーク管理装置へ送信する処理を含んでいる。
【００２２】
方法はさらにステップＡの前に、ＳＮＭＰ  ＭＩＢ中に送信ノードを予め設定する処理を含んでおり、ステップＢはさらに、ネットワーク素子によってネットワーク管理装置へ動作の進行および／または動作結果をパラメータノードを通して送信するステップを含んでいる。
【００２３】
本発明はＳＮＭＰに基づいたデータ管理のためのシステムを提供し、このシステムはネットワーク管理装置とネットワーク素子とを含み、ここでデータ管理制御メッセージを送信するためのデータ管理ノードはネットワーク管理装置とネットワーク素子のそれぞれに含まれ、ネットワーク素子はさらに動作装置を含んでおり、その動作装置においてネットワーク管理装置はその自分のデータ管理ノードを通してデータ管理制御メッセージをネットワーク素子へ送信し、ネットワーク素子はその自分のデータ管理ノードを通してデータ管理制御メッセージを受信し、動作装置はネットワーク素子のデータ管理ノードからのデータ管理制御メッセージにしたがって動作を実行するために使用される。
【００２４】
システムはさらにデータを記憶するための記憶装置を含み、データ管理ノードはデータ送信制御メッセージを送信するためのノードであり、ネットワーク管理装置とネットワーク素子はさらにデータ管理ノードにそれぞれ対応するパラメータノードを含んでおり、ネットワーク管理装置は記憶装置の位置情報と、パラメータノードを通して送信されるデータの識別子情報とを設定し、それらをネットワーク素子中のパラメータノードへ送信し、動作装置はネットワーク素子のパラメータノードからのデータ送信制御メッセージと記憶装置の位置情報にしたがって、識別子情報に対応するデータを記憶装置とネットワーク素子との間で送信する装置である。
【００２５】
データ管理ノードはデータダウンロード制御メッセージを送信するノードであり、パラメータノードはさらに送信されるデータの識別子の送信に使用され、これは記憶装置中のダウンロードされるデータのパス及びファイル名を含んでおり、動作装置はパス及びファイル名に対応するデータを記憶装置からネットワーク素子へ送信するために使用される。
【００２６】
データ管理ノードはデータアップロード制御メッセージを送信するノードであり、パラメータノードはさらにアップロードされるデータのバージョン情報を含む識別子情報の送信に使用され、動作装置はバージョン情報に対応するデータを記憶装置へ送信するために使用される。
【００２７】
記憶装置はネットワーク管理装置から分離されているか、その管理装置中に位置されている。
【００２８】
データ管理ノードはデータ付勢制御メッセージを送信するためのノードであり、動作装置はデータ制御メッセージにしたがって予め設定されたデータを付勢するための装置である。
【００２９】
データ管理ノードに対応し、付勢されるデータのバージョン情報を送信するためのパラメータノードは、ネットワーク管理装置とネットワーク素子にそれぞれ含まれ、動作装置はネットワーク素子のパラメータノードからのバージョン情報にしたがって対応するデータを付勢する装置である。
【００３０】
データ管理ノードはデータ削除制御メッセージを送信するためのノードであり、ネットワーク管理装置とネットワーク素子はさらにデータ管理ノードにそれぞれ対応し、削除されるデータのバージョン情報を送信するためのパラメータノードを含んでおり、動作装置はデータ削除制御メッセージとバージョン情報とにしたがってバージョン情報に対応するデータを削除する装置である。
【００３１】
データ管理ノードは問合せネットワーク素子データバージョン制御メッセージを送信するためのノードであり、ネットワーク管理装置とネットワーク素子はそれぞれ送信ノードを含んでおり、動作装置は問合せネットワーク素子データバージョン制御情報にしたがって、その動作装置によりサポートされる全てのデータのバージョン情報を送信ノードを通してネットワーク管理装置へ送信するために使用される装置である。
【００３２】
ネットワーク管理装置はネットワーク管理システム（ＮＭＳ）、ネットワーク素子管理システム（ＥＭＳ）またはローカルメンテナンス端末である。
【００３３】
ネットワーク素子は基地局（ＢＳ）または加入者局（ＳＳ）を含んでいる。
【００３４】
説明された方法及びシステムから、本発明にしたがってデータを管理するためのデータ管理ノードがネットワーク管理装置とネットワーク素子により共有されるＳＮＭＰ  ＭＩＢに付加されることが認められる。それ故、ネットワーク管理装置はデータ管理ノードを通して種々のデータ管理制御メッセージをネットワーク素子へ送信でき、ネットワーク素子の動作装置は制御メッセージにしたがってデータ管理動作を実行する。ＳＮＭＰ方法を通して、ネットワーク管理装置は本発明では遠隔的にネットワーク素子においてデータを管理できる。したがってソフトウェア管理のような動作、構造データのバッチの発行、新しい構造の付勢、重要なデータのバックアップ等はネットワーク素子上でネットワーク管理装置により実行されることができる。さらにネットワーク管理装置は動作の進行と動作の結果をネットワーク素子から受信することができ、それによってサービス提供業者が実時間で動作を監視することを容易にする。本発明はＳＮＭＰに基づいたＢＳとＳＳに対するデータ管理は存在しないというギャップを埋める。さらに、本発明はデータ管理とメンテナンス動作における時間と費用および労力を節約し、装置のメンテナンスコストを大幅に減少させる。
【発明を実施するための最良の形態】
【００３５】
本発明の技術的構造及び利点をより明白にするために、本発明の詳細な説明を実施形態を参照して以下行う。
【００３６】
本発明では、データ管理ノードはネットワーク管理装置とネットワーク素子のＳＮＭＰ  ＭＩＢ中で設定され、制御メッセージはデータ管理ノードを通して送信され、データ管理動作は制御メッセージにしたがって行われる。
【００３７】
本発明のネットワーク管理装置はネットワーク管理システム（ＮＭＳ）、ネットワーク素子管理システム（ＥＭＳ）またはローカルメンテナンス端末である。ＮＭＳ、ＥＭＳまたはローカルメンテナンス端末はＳＮＭＰを使用する。本発明のネットワーク素子はＢＳとＳＳを含んでいるがそれに限定されない。本発明のデータはネットワーク管理装置とネットワーク素子との間で交換可能な全てのデータを含んでいる。例えばデータはソフトウェア、ネットワーク素子の構造ファイル、ネットワーク素子のバックアップデータであってもよい。本発明はＳＮＭＰを使用して任意のシステムに応用可能であり、ＷｉＭＡＸシステムに限定されない。本発明はさらにデータを記憶するための記憶装置に関し、その記憶装置はネットワーク管理装置とは別にされていてもよく、或いはそこに位置されてもよい。図２はネットワーク管理装置と、独立した記憶装置と、ネットワーク素子Ａと、ネットワーク素子Ｂとの間の関係を示している。ネットワーク管理装置とネットワーク素子Ａとの間、ネットワーク管理装置とネットワーク素子Ｂとの間に制御メッセージの相互作用が存在する。記憶装置とネットワーク素子Ａとの間、記憶装置とネットワーク素子Ｂとの間にデータ伝送が存在する。換言すると、データは記憶装置からネットワーク素子へダウンロードされ、データはネットワーク素子から記憶装置へアップロードされる。
【００３８】
第１の好ましい実施形態は記憶装置からネットワーク素子へデータを送信するプロセスを示している。データは記憶装置とネットワーク素子との間で多数の方法、例えばトリビアルファイル転送プロトコル（ＴＦＴＰ）、ファイル転送プロトコル（ＦＴＰ）で送信されることができる。第１の好ましい実施形態では、ＦＴＰ方法は１例としてデータ送信で使用される。図３を参照して、第１の好ましい実施形態による方法を以下説明する。
【００３９】
ブロック101で、制御メッセージを送信するためのデータ管理ノード、パラメータノード、および送信ノードはＳＮＭＰ  ＭＩＢで予め設定される。パラメータノードはパラメータを送信するために使用される。送信ノードはネットワーク素子がメッセージをネットワーク管理装置へ送信するために使用される。パラメータは記憶装置の位置情報、記憶装置中の送信されるデータのパス及びファイル名を含んでいる。例えば位置情報は記憶装置のＩＰアドレスである。ユーザ名とパスワードを必要とするＦＴＰ方法が採用されている場合には、パラメータはユーザ名とパスワードを含む必要がある。
【００４０】
ブロック102で、ネットワーク管理装置はデータ管理ノードを通してデータダウンロード制御メッセージを送信し、パラメータをパラメータノードを通して設定する。
【００４１】
ブロック103で、記憶装置とネットワーク素子との間のＦＴＰ接続は記憶装置のＩＰアドレスにしたがって設定される。ユーザ名とパスワードを必要とするＦＴＰ方法が採用されるならば、ＦＴＰ接続はさらにユーザ名とパスワードにしたがって設定される。
【００４２】
ブロック104で、記憶装置中のパス及びファイル名に対応するデータはＦＴＰ方法でネットワーク素子に送信される。
【００４３】
ブロック104の前に、ＦＴＰ接続が成功したか否かの決定がさらに行われてもよい。ＦＴＰ接続が成功したならば、手順はブロック104へ進む。そうでなければ接続失敗メッセージが送信ノードを通ってネットワーク管理装置へ送信される。
【００４４】
さらに、この実施形態のネットワーク素子は送信ノードを通ってデータダウンロード進行をネットワーク管理装置へ送信し、それによってサービス提供業者はネットワーク管理装置でデータダウンロード状態を実時間で監視できる。
【００４５】
ブロック105で、データ送信の完了後、ＦＴＰ接続が遮断される。ネットワーク素子はさらに送信ノードを通って、データダウンロード結果をネットワーク管理装置へ送信してもよく、例えば結果はデータのダウンロードが成功したか失敗したかを示すメッセージを指している。
【００４６】
データは第１の好ましい実施形態の方法にしたがってＢＳとＳＳに送信される。
【００４７】
第１の実施形態による方法は図４に示されているシステムを通して行われることができる。このシステムはネットワーク管理装置、ネットワーク素子、データを記憶するための記憶装置を含んでいる。記憶装置はネットワーク管理装置とは別であっても、その管理装置中に位置されていてもよい。図４に示されている記憶装置はネットワーク管理装置から分離されている。ＳＮＭＰ  ＭＩＢはデータダウンロード制御メッセージを送信するためのデータ管理ノードと、パラメータを送信するためのパラメータノードを含んでいる。ＳＮＭＰ  ＭＩＢはさらに送信ノードを含むことができ、この送信ノードによってネットワーク素子はデータダウンロード進行および結果をネットワーク管理装置へ送信することができる。
【００４８】
第１の好ましい実施形態の構成では、ネットワーク管理装置はデータ管理ノードを通ってデータダウンロード制御メッセージを送信し、パラメータノードを通してパラメータを設定する。動作装置はデータダウンロード制御メッセージとパラメータ中の記憶装置のＩＰアドレスとにしたがって記憶装置とネットワーク素子との間にＦＴＰ接続を設定する。ユーザ名とパスワードを必要とするＦＴＰ方法が採用されるならば、ＦＴＰ接続はさらにユーザ名とパスワードにしたがって設定される。動作装置はさらに接続が成功したか否かを決定できる。接続が成功したならば、ＦＴＰ方法は記憶装置のパス及びファイルに対応するデータをネットワーク素子へ送信するために使用される。そうでなければ、接続失敗メッセージが送信ノードを通してネットワーク管理装置へ送信される。送信プロセス期間中、動作装置は送信ノードを通してデータダウンロード進行をネットワーク管理装置へ送信できる。データ送信の終了後、動作装置はＦＴＰ接続を遮断し、さらにダウンロードの結果を送信ノードを通してネットワーク管理装置へ送信してもよい。
【００４９】
本発明の第２の好ましい実施形態はネットワーク素子上でデータを付勢するプロセスを示している。付勢されるデータは既にネットワーク素子に存在している。例えばデータは第１の好ましい実施形態にしたがった方法によってネットワーク素子にダウンロードされている。図５を参照して、第２の好ましい実施形態による方法を以下説明する。
【００５０】
ブロック201で、制御メッセージを送信するためのデータ管理ノードはＳＮＭＰ  ＭＩＢ中に予め設定され、パラメータノードと送信ノードはさらにＳＮＭＰ  ＭＩＢ中に設定されることができる。パラメータノードはパラメータを送信するために使用される。送信ノードはネットワーク素子がメッセージをネットワーク管理装置へ送信するために使用される。パラメータは付勢されるデータのバージョン情報を含んでいる。
【００５１】
ここで説明する異なる実施形態で述べられているデータ管理ノードは異なる機能を有する異なるノードに対応する。
【００５２】
ブロック202で、ネットワーク管理装置はデータ管理ノードを通じてデータ付勢制御メッセージをネットワーク素子へ送信し、パラメータノードを通して付勢されるデータのバージョン情報を設定する。
【００５３】
ブロック203で、ネットワーク素子はデータ制御情報とバージョン情報にしたがってネットワーク素子上でデータを付勢する。データはバージョン情報により識別される。データはネットワーク素子のソフトウェア、構造ファイルであってもよい。現在のデータの一次バージョンを識別するための一次バージョン識別子が存在するならば、ネットワーク素子は一次バージョン識別子をこのブロックで付勢されるデータのバージョン情報に更新できる。
【００５４】
付勢されるデータが予め設定されたデフォルトデータであるならば、パラメータノードはブロック201で設定される必要はなく、パラメータはブロック202で設定される必要はない。例えば予め設定されたデフォルトデータは最新のダウンロードされたデータである。
【００５５】
さらに、この実施形態のネットワーク素子は送信ノードを通してデータ付勢進行と結果を送信でき、それによってサービス提供業者はネットワーク管理装置でデータ付勢状態を実時間で監視することができる。その結果、データの付勢が成功したか失敗したかを示すメッセージを生成する。
【００５６】
データが第１の好ましい実施形態の方法により記憶装置からダウンロードされ、ダウンロードされたデータが第２の好ましい実施形態の方法により付勢されるならば、ネットワーク素子におけるデータの更新は完了される。
【００５７】
第２の好ましい実施形態は図６に示されているシステムを通して実行されることができる。このシステムはネットワーク管理装置とネットワーク素子を含んでいる。ＳＮＭＰ  ＭＩＢはデータ付勢制御メッセージを送信するためのデータ管理ノードと、第２の好ましい実施形態でパラメータを送信するためのパラメータノードと、ネットワーク素子がメッセージをネットワーク管理装置へ送信するための送信ノードとを含んでいる。
【００５８】
第２の好ましい実施形態の実行では、ネットワーク管理装置はデータ管理ノードを通してデータ付勢制御メッセージをネットワーク素子へ送信し、パラメータノードを通して付勢されるデータのバージョン情報を設定する。動作装置はデータ制御情報とバージョン情報にしたがってネットワーク素子上でデータを付勢する。そのデータはバージョン情報により識別される。ネットワーク上に現在のデータの一次バージョンを識別するための一次バージョン識別子が存在するならば、動作装置は一次バージョン識別子を付勢されるデータのバージョン情報に対して更新する。さらに動作装置は送信ノードを通ってデータ付勢進行と結果をネットワーク管理装置へ送信でき、それによってサービス提供業者はネットワーク管理装置においてデータ付勢状態を実時間で監視できる。
【００５９】
第３の好ましい実施形態はネットワーク素子から記憶装置へデータをアップロードするプロセスを示している。記憶装置とネットワーク素子との間のデータ送信にはＴＦＴＰ、ＦＴＰのような多数の方法が存在する。第１の好ましい実施形態とは異なって、ＴＦＴＰ方法はデータ送信のプロセスを示すために第３の好ましい実施形態で１例として使用されている。図７を参照して、第３の好ましい実施形態による方法を以下説明する。
【００６０】
ブロック301で、制御メッセージを送信するためのデータ管理ノードがＳＮＭＰ  ＭＩＢにおいて予め設定され、パラメータノードと送信ノードはＳＮＭＰ  ＭＩＢ中に予め設定されることができる。パラメータノードはパラメータの送信に使用される。送信ノードはネットワーク素子がメッセージをネットワーク管理装置へ送信するために使用される。パラメータは記憶装置の位置情報と、アップロードされるデータのバージョン情報を含んでいる。記憶装置の位置情報は記憶装置のＩＰアドレスである。ＴＦＴＰはユーザ名およびパスワードを必要とせず、このブロックのパラメータはユーザ名およびパスワードを含んでいない。
【００６１】
ブロック302で、ネットワーク管理装置はデータ管理ノードを通してデータアップロード制御メッセージをネットワーク素子へ送信し、パラメータノードを通してパラメータを設定する。
【００６２】
ブロック303で、記憶装置のＩＰアドレスとデータアップロード制御メッセージにしたがってＴＦＴＰ接続が記憶装置とネットワーク素子との間で設定される。
【００６３】
ブロック304で、バージョン情報に対応するデータはＴＦＴＰ方法でネットワーク素子から記憶装置へ送信される。
【００６４】
ブロック304の前に、接続が成功したか否かの決定がさらに行われることができる。成功したならば、手順はブロック304へ進む。そうでなければ、接続失敗メッセージがネットワーク管理装置へ送信される。
【００６５】
さらに、この実施形態のネットワーク素子は送信ノードを通してデータアップロード進行をネットワーク管理装置へ送信し、それによってサービス提供業者はネットワーク管理装置においてデータアップロード進行を実時間で監視できる。
【００６６】
ブロック305で、ＴＦＴＰ接続はデータ送信の完了後に遮断される。ネットワーク素子はさらに送信ノードを通してアップロード結果をネットワーク管理装置へ送信することができる。例えば結果としてバージョン情報により識別されたデータが適切にアップロードされたことを示すメッセージが生成される。
【００６７】
第３の好ましい実施形態は図４を参照してシステムによって構成されることができる。このシステムはネットワーク管理装置、ネットワーク素子、データを記憶するための記憶装置を含み、記憶装置はネットワーク管理装置から分離されていてもよく、或いはそこに位置されていてもよい。ＳＮＭＰ  ＭＩＢは第３の好ましい実施形態ではデータダウンロード制御メッセージを送信するためのデータ管理ノードと、パラメータを送信するためのパラメータノードとを含み、ネットワーク素子がメッセージをネットワーク管理装置へ送信するための送信ノードを含むことができる。
【００６８】
第３の好ましい実施形態の構成では、ネットワーク管理装置はデータ管理ノードを通してデータアップロード制御メッセージをネットワーク素子へ送信し、パラメータノードを通してパラメータを設定する。動作装置はデータアップロード制御メッセージと記憶装置のＩＰアドレスとにしたがって記憶装置とネットワーク素子との間にＴＦＴＰ接続を設定する。動作装置はさらに接続が成功したか否かの決定を行うことができる。接続が成功したならば、ＴＦＴＰ方法がバージョン情報に対応するデータをネットワーク素子から記憶装置へ送信するために採用される。そうでなければ、送信ノードを通って接続失敗メッセージがネットワーク管理装置へ送信される。さらに、動作装置は送信ノードを通してデータアップロード進行をネットワーク管理装置へ送信することができ、それによってサービス提供業者はネットワーク管理装置においてデータアップロード状態を実時間で監視できる。データ送信の完了後、動作装置はＴＦＴＰ接続を遮断する。動作装置はさらに送信ノードを通してアップロード結果をネットワーク管理装置へ送信できる。
【００６９】
第１及び第３の好ましい実施形態から、データのダウンロードおよびアップロードが以下のデータ送信プロセスとして結論付けされることができることが分かる。
【００７０】
プロセス１：制御メッセージを送信するためのデータ管理ノードはＳＮＭＰ  ＭＩＢ中に予め設定され、パラメータノードと送信ノードはさらにＳＮＭＰ  ＭＩＢ中に予め設定される。パラメータノードはパラメータの送信に使用される。送信ノードはネットワーク素子がメッセージをネットワーク管理装置へ送信するために使用される。
【００７１】
データのダウンロード期間中、パラメータは記憶装置の位置情報と、送信されるデータの識別子情報を含んでいる。記憶装置の位置情報は記憶装置のＩＰアドレスである。送信されるデータの識別子情報は記憶装置中の送信されるデータのパス及びファイル名である。データのアップロード期間中、パラメータは記憶装置の位置情報と、送信されるデータの識別子情報を含んでいる。記憶装置の位置情報は記憶装置のＩＰアドレスである。送信されるデータの識別子情報はアップロードされるデータのバージョン情報を含んでいる。記憶装置の位置情報はＩＰアドレス以外のその他の情報であってもよく、例えば記憶装置がネットワーク管理装置中に位置されているとき、記憶装置の位置情報はパス情報または記憶装置のポート情報であってもよい。ネットワーク管理装置とネットワーク素子との間には接続が存在するので、以下のプロセスでは記憶装置とネットワーク素子との間には接続は必要とされない。ユーザ名及びパスワードを必要とするＦＴＰ方法が採用されるならば、パラメータはユーザ名及びパスワードを含むことが必要である。
【００７２】
プロセス２：ネットワーク管理装置はデータ管理ノードを通してデータ送信制御メッセージをネットワーク素子へ送信し、パラメータノードを通してパラメータを設定する。
【００７３】
データのダウンロード期間中、データ送信制御メッセージはデータダウンロード制御メッセージである。データのアップロード期間中、データ送信制御メッセージはデータアップロード制御メッセージである。
【００７４】
プロセス３：記憶装置とネットワーク素子との間の接続は記憶装置のＩＰアドレスにしたがって設定される。
【００７５】
ユーザ名及びパスワードを必要とするＦＴＰ方法が採用されるならば、接続はさらにユーザ名及びパスワードにしたがって設定される。
【００７６】
プロセス４：識別子情報に対応するデータはネットワーク素子とデータとの間で送信される。
【００７７】
プロセス４の前に、接続が成功したか否かの決定がさらに行われてもよい。接続が成功したならば、手順はプロセス４へ進む。そうでなければ、送信ノードを通して接続失敗メッセージがネットワーク管理装置へ送信される。
【００７８】
さらに、ネットワーク素子は送信ノードを通してデータ送信進行をネットワーク管理装置へ送信することができ、それによってサービス提供業者はネットワーク管理装置においてデータ送信状態を実時間で監視することができる。
【００７９】
プロセス５：データ送信の完了後、ネットワーク素子と記憶装置との間の接続は遮断される。ネットワーク素子は送信ノードを通して送信結果をネットワーク管理装置へ送信できる。例えば結果としてバージョン情報の送信が成功または失敗であるかを示すメッセージを生成する。
【００８０】
接続が記憶装置とネットワーク素子との間で既に存在している場合、例えば記憶装置はネットワーク管理装置中に位置される。記憶装置とネットワーク素子との間の接続はデータ送信プロセス期間中に設けられる必要はない。この場合のデータ送信プロセスを以下説明する。
【００８１】
プロセス１：制御メッセージを送信するためのデータ管理ノードはＳＮＭＰ  ＭＩＢ中に予め設定され、パラメータノードと送信ノードはさらにＳＮＭＰ  ＭＩＢ中に予め設定される。パラメータノードはパラメータの送信に使用される。送信ノードはネットワーク素子がメッセージをネットワーク管理装置に送信するために使用される。
【００８２】
データのダウンロード期間中、パラメータは記憶装置の位置情報と送信されるデータの識別子情報を含んでいる。データのアップロード期間中、パラメータは記憶装置の位置情報と送信されるデータの識別子情報とを含んでいる。
【００８３】
プロセス２：ネットワーク管理装置はデータ管理ノードを通してデータ送信制御メッセージをネットワーク素子へ送信し、パラメータノードを通してパラメータを設定する。
【００８４】
データのダウンロードでは、データ送信制御メッセージはデータダウンロード制御メッセージである。データのアップロードでは、データ送信制御メッセージはデータアップロード制御メッセージである。
【００８５】
プロセス３：識別子情報に対応するデータはネットワーク素子とデータとの間で送信される。
【００８６】
さらに、ネットワーク素子は送信ノードを通してデータ送信進行をネットワーク管理装置へ送信することができ、それによってサービス提供業者はネットワーク管理装置においてデータ送信状態を実時間で監視することができる。
【００８７】
プロセス４：ネットワーク素子はさらに送信ノードを通して送信の結果をネットワーク管理装置へ送信できる。例えば結果は識別子情報に対応するデータの送信が成功または失敗であることを示すメッセージとして生成される。
【００８８】
第４の好ましい実施形態はネットワーク素子においてデータを削除するプロセスを示している。図８を参照して、第４の好ましい実施形態による方法を以下説明する。
【００８９】
ブロック401で、制御メッセージを送信するためのデータ管理ノードはＳＮＭＰ  ＭＩＢ中に予め設定され、パラメータノードと送信ノードがさらにＳＮＭＰ  ＭＩＢ中に予め設定されることができる。パラメータノードはパラメータの送信に使用される。送信ノードはネットワーク素子がメッセージをネットワーク管理装置へ送信するために使用される。パラメータは削除されるデータのバージョン情報を含んでいる。
【００９０】
ブロック402で、ネットワーク管理装置はデータ管理ノードを通してデータ削除制御メッセージをネットワーク素子へ送信し、パラメータノードを通して削除されるデータのバージョン情報を設定する。
【００９１】
ブロック403で、ネットワーク素子はデータ削除制御メッセージとバージョン情報にしたがってネットワーク素子におけるデータを削除する。削除されるデータはバージョン情報により識別される。
【００９２】
さらにこの実施形態のネットワーク素子はデータ削除進行と結果を送信ノードを介して送信することができ、それによってサービス提供業者はネットワーク管理装置においてデータ削除状態を実時間で監視することができる。結果はデータの削除が成功または失敗であることを示すメッセージで与えられる。
【００９３】
第４の好ましい実施形態は図６に示されているシステムを通って実行されることができる。このシステムはネットワーク管理装置とネットワーク素子を含んでいる。各ネットワーク管理装置とネットワーク素子のＳＮＭＰ  ＭＩＢはデータ削除制御メッセージを送信するためのデータ管理ノードと、第４の好ましい実施形態でパラメータを送信するためのパラメータノードと、ネットワーク素子がメッセージをネットワーク管理装置へ送信するための送信ノードとを含んでいる。
【００９４】
第４の好ましい実施形態の構成では、ネットワーク管理装置はデータ管理ノードを通してデータ削除制御メッセージをネットワーク素子へ送信し、パラメータノードを通して削除されるデータのバージョン情報を設定する。動作装置はデータ削除制御メッセージとバージョン情報にしたがってネットワーク素子においてデータを削除する。さらに、動作装置は送信ノードを通ってデータ削除進行と結果をネットワーク管理装置へ送信することができ、それによってサービス提供業者はネットワーク管理装置でデータ削除状態を実時間で監視することができる。
【００９５】
本発明の第５の好ましい実施形態はネットワーク素子におけるデータバージョン問合せのプロセスを示している。図９を参照して第５の好ましい実施形態による方法を以下説明する。
【００９６】
ブロック501で、データ管理ノードと送信ノードはＳＮＭＰ  ＭＩＢにおいて予め設定される。データ管理ノードは制御メッセージの送信に使用される。送信ノードはネットワーク素子がメッセージをネットワーク管理装置へ送信するために使用される。
【００９７】
ブロック502で、ネットワーク管理装置はデータ管理ノードを通して問合せデータバージョン制御メッセージをネットワーク素子へ送信する。
【００９８】
ブロック503で、ネットワーク素子は問合せデータバージョン制御情報にしたがってネットワーク素子によりサポートされる全てのデータバージョン情報を送信ノードを通してネットワーク管理装置へ送信する。
【００９９】
第５の好ましい実施形態は図１０に示されているシステムを通して実行されることができる。システムはネットワーク管理装置及びネットワーク素子を含んでいる。各ネットワーク管理装置とネットワーク素子のＳＮＭＰ  ＭＩＢは問合せネットワーク素子データバージョン制御メッセージを送信するためのデータ管理ノードと、ネットワーク素子がメッセージをネットワーク管理装置へ送信するための送信ノードとを含んでいる。
【０１００】
第５の好ましい実施形態の構成では、ネットワーク管理装置はデータ管理ノードを通って問合せデータバージョン制御メッセージをネットワーク素子へ送信する。ネットワーク素子は問合せデータバージョン制御情報にしたがって送信ノードを通って、ネットワーク素子によりサポートされる全てのデータバージョン情報をネットワーク管理装置へ送信する。
【０１０１】
前述の説明は本発明の詳細な実施形態の説明である。本発明の方法は特定の場合の特定の要求を満たすために特定の構成において適切に変更されることができる。したがって本発明による詳細な説明は本発明の保護範囲を例示的に示しているがそれに限定されない。
【図面の簡単な説明】
【０１０２】
【図１】ＷｉＭＡＸシステムの構造の概略図。
【図２】ネットワーク管理装置、ネットワーク素子、記憶装置の間の関係を示すブロック図。
【図３】本発明の第１の好ましい実施形態によるフローチャート。
【図４】本発明の第１及び第３の好ましい実施形態によるシステムの構造の概略図。
【図５】本発明の第２の好ましい実施形態によるフローチャート。
【図６】本発明の第２及び第４の好ましい実施形態によるシステムの構造の概略図。
【図７】本発明の第３の好ましい実施形態によるフローチャート。
【図８】本発明の第４の好ましい実施形態によるフローチャート。
【図９】本発明の第５の好ましい実施形態によるフローチャート。
【図１０】本発明の第５の好ましい実施形態によるシステム構造の概略図。
【図１】
2009500759.tif 000003
【図２】
2009500759.tif 000004
【図３】
2009500759.tif 000005
【図４】
2009500759.tif 000006
【図５】
2009500759.tif 000007
【図６】
2009500759.tif 000008
【図７】
2009500759.tif 000009
【図８】
2009500759.tif 000010
【図９】
2009500759.tif 000011
【図１０】
2009500759.tif 000012
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
シンプルネットワーク管理プロトコル（ＳＮＭＰ）に基づいたデータ管理方法において、
ネットワーク素子により、ＳＮＭＰ管理情報ベース（ＭＩＢ）において設定されるデータ管理ノードを通ってネットワーク管理装置からデータ管理制御メッセージを受信し、
ネットワーク素子により、データ管理制御メッセージにしたがって動作を実行するステップを含んでいる方法。
【請求項２】
データ管理制御メッセージはデータ送信制御メッセージであり、方法はさらに、
ネットワーク素子により、記憶装置の位置情報と送信されるデータの識別子情報をＳＮＭＰ  ＭＩＢで設定されたパラメータノードを通ってネットワーク管理装置から受信し、
記憶装置の位置情報と、送信されるデータの識別子情報はＳＮＭＰ  ＭＩＢで設定されたパラメータノードを通ってネットワーク管理装置により構成され、
ネットワーク素子により、データ管理制御メッセージにしたがって動作を行うステップを含み、前記データ管理制御メッセージにしたがって動作を行うステップは、
データ送信制御メッセージと記憶装置の位置情報と送信されるデータの識別子情報とにしたがって記憶装置とネットワーク素子との間でデータを送信するステップを含んでいる請求項１記載の方法。
【請求項３】
データ送信制御メッセージはデータデータダウンロード制御メッセージであり、
送信されるデータの識別子情報は記憶装置中のダウンロードされるデータのパス及びファイル名を含み、
記憶装置とネットワーク素子の間でデータを送信するステップは、
ネットワーク素子により、パス及びファイル名に対応するデータを記憶装置からダウンロードするステップを含んでいる請求項２記載の方法。
【請求項４】
データ送信制御メッセージはデータアップロード制御メッセージであり、
送信されるデータの識別子情報はアップロードされるデータのバージョン情報を含んでおり、
記憶装置とネットワーク素子の間でデータを送信するステップは、
ネットワーク素子により、バージョン情報に対応するデータを記憶装置へアップロードするステップを含んでいる請求項２記載の方法。
【請求項５】
記憶装置の位置情報は記憶装置のＩＰアドレス、記憶装置のパス情報、記憶装置のポート情報からなるグループから選択される請求項２記載の方法。
【請求項６】
記憶装置とネットワーク素子との間のデータ送信は、
ネットワーク素子により、データ送信制御メッセージと記憶装置の位置情報にしたがって記憶装置との間に接続を設定し、
設定された接続を通して記憶装置とネットワーク素子との間でデータを送信するステップを含んでいる請求項２記載の方法。
【請求項７】
接続はファイル転送プロトコル（ＦＴＰ）接続またはトリフルファイル転送プロトコル（ＴＦＴＰ）接続からなるグループから選択される請求項６記載の方法。
【請求項８】
さらに、ネットワーク素子によって、接続の設定が成功したか否かを決定し、接続の設定が成功したならばその接続を通して記憶装置とネットワーク素子の間でデータを送信し、そうでなければデータ管理ノードを通って接続失敗メッセージをネットワーク管理装置へ送信するステップを含んでいる請求項６記載の方法。
【請求項９】
データ管理制御メッセージはデータ付勢制御メッセージであり、
ネットワーク素子により、データ管理制御メッセージにしたがって動作を実行し、
ネットワーク管理装置によりデータ付勢メッセージにしたがって予め設定されたデータを付勢するステップを含んでいる請求項１記載の方法。
【請求項１０】
前記予め設定されたデータは予め設定されたデフォルトデータである請求項９記載の方法。
【請求項１１】
さらに、ネットワーク素子により、付勢されるデータのバージョン情報をＳＮＭＰ  ＭＩＢで設定されたパラメータノードを通してネットワーク管理装置から受信し、
付勢されるデータのバージョン情報はＳＮＭＰ  ＭＩＢで設定されたパラメータノードを通してネットワーク管理装置により構成され、
前記予め設定されたデータはバージョン情報に対応している請求項９記載の方法。
【請求項１２】
ネットワーク素子は現在のデータの一次バージョンを識別するための一次バージョン識別子を含み、
ネットワーク管理装置により、データ付勢制御メッセージにしたがって予め設定されたデータを付勢し、
ネットワーク素子により、一次バージョン識別子を付勢されるべきデータのバージョン情報に対して更新するステップを含んでいる請求項９記載の方法。
【請求項１３】
データ管理制御メッセージはデータ削除制御メッセージであり、
方法はさらに、
ネットワーク素子により、削除されるデータのバージョン情報をＳＮＭＰ  ＭＩＢで設定されたパラメータノードを通してネットワーク管理装置から受信し、
削除されるデータのバージョン情報はＳＮＭＰ  ＭＩＢで設定されたパラメータノードを通してネットワーク管理装置により構成され、
ネットワーク素子により、データ管理制御メッセージにしたがって動作を実行し、
ネットワーク素子によって、データ削除制御メッセージと削除されるデータのバージョン情報とにしたがって削除されるデータのバージョン情報に対応するデータを削除するステップを含んでいる請求項１記載の方法。
【請求項１４】
データ管理制御メッセージは問合せネットワーク素子データバージョン制御メッセージであり、
方法はさらに、
ネットワーク素子によって、問合せネットワーク素子データバージョン制御情報にしたがって、ネットワーク素子によりサポートされる全てのデータバージョン情報をＳＮＭＰ  ＮＩＢで設定された送信ノードを介してネットワーク管理装置へ送信するステップを含んでいる請求項１記載の方法。
【請求項１５】
送信ノードはＳＮＭＰ  ＭＩＢで設定され、
方法はさらに、
ネットワーク素子によってネットワーク管理装置へ動作の進行と動作結果の少なくとも１つを送信ノードを通って送信するステップを含んでいる請求項１記載の方法。
【請求項１６】
ネットワーク管理装置とネットワーク素子とを具備し、シンプルネットワーク管理プロトコル（ＳＮＭＰ）に基づいたデータ管理のためのシステムにおいて、
ネットワーク素子はＳＮＭＰ管理情報ベース（ＭＩＢ）で設定されたデータ管理ノードを通してネットワーク管理装置からデータ管理制御メッセージを受信し、データ管理制御メッセージにしたがって動作を行うように構成されているシステム。
【請求項１７】
ＳＮＭＰ  ＭＩＢはさらに、
データ管理制御メッセージに関するパラメータを構成し、そのパラメータをネットワーク素子へ送信するためのパラメータノードを具備し、前記ネットワーク素子は、
データ管理メッセージとパラメータにしたがって動作を実行するための動作装置を具備している請求項１６記載のシステム。
【請求項１８】
さらに、データを記憶するための記憶装置を具備し、
動作は動作装置と記憶装置との間のデータ送信である請求項１７記載のシステム。
【請求項１９】
記憶装置はネットワーク管理装置から分離されている請求項１８記載のシステム。
【請求項２０】
記憶装置はネットワーク管理装置中に位置されている請求項１８記載のシステム。
【請求項２１】
ＳＮＭＰ  ＭＩＢはさらに、
ネットワーク素子によりサポートされるデータバージョン情報をネットワーク管理装置へ送信するための送信ノードを具備している請求項１６記載のシステム。
【請求項２２】
ＳＮＭＰ  ＭＩＢはさらに、
ネットワーク素子からネットワーク管理装置へ動作の進行と動作結果の少なくとも１つを送信するための送信ノードを具備している請求項１６記載のシステム。
【請求項２３】
ネットワーク管理装置はネットワーク管理システム（ＮＭＳ）、ネットワーク素子管理システム（ＥＭＳ）またはローカルメンテナンス端末からなるグループから選択される請求項１６記載のシステム。
【請求項２４】
ネットワーク素子は基地局（ＢＳ）と加入者局（ＳＳ）からなるグループから選択される請求項１６記載のシステム。
【手続補正２】
【補正対象書類名】明細書
【補正対象項目名】０００７
【補正方法】変更
【補正の内容】
【０００７】
本発明はＳＮＭＰに基づいたデータ管理方法を提供し、その方法はネットワーク素子により、ＳＮＭＰ管理情報ベース（ＭＩＢ）において設定されるデータ管理ノードを通ってネットワーク管理装置からデータ管理制御メッセージを受信し、ネットワーク素子により、データ管理制御メッセージにしたがって動作を実行するステップを含んでいる。  
本発明はまたネットワーク管理装置とネットワーク素子を含んでいる、ＳＮＭＰに基づいたデータ管理のためのシステムを提供し、 
そのネットワーク素子はＳＮＭＰ  ＭＩＢで設定されたデータ管理ノードを通してネットワーク管理装置からデータ管理制御メッセージを受信し、データ管理制御メッセージにしたがって動作を行うように構成される。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【国際調査報告】
2009500759.tif 000013
2009500759.tif 000014
2009500759.tif 000015
2009500759.tif 000016